(57)【要約】【課題】引込み線の使用状況を効率良く判定する。【解決手段】引込み線の電気諸量を検出するためのプローブ１０が、操作棒２０の先端に取り付けられ、引込み線の下方向から引込み線を挟み込んで電気諸量を検出する検出部を収納し、上方向に開口するように軸１５Ａを中心として開口可能に組み合わされた筐体１４，１６と、筐体１４，１６を閉じる方向に付勢するバネ１７と、下方向に引っ張ることでバネ１７の付勢方向と逆方向に力を加えることができる操作ワイヤ１８とを備える。【選択図】図２
2020112444.tif 000002
【特許請求の範囲】
【請求項１】
引込み線の電気諸量を検出するためのプローブであって、
操作棒と、
前記操作棒の先端に取り付けられ、前記引込み線を挟み込んで前記電気諸量を検出する検出部を収納し、先端方向に開口するように軸を中心として開閉可能に組み合わされた第１筐体および第２筐体と、
前記第１筐体および第２筐体を閉じる方向に付勢する弾性部材と、
引っ張ることで前記弾性部材の付勢方向と逆方向に力を加えるワイヤと、を備える
ことを特徴とするプローブ。
【請求項２】
前記第１筐体および第２筐体の両端面の上部に前記引込み線を選り分けるための選分部を備える
ことを特徴とする請求項１に記載のプローブ。
【請求項３】
前記操作棒に対する前記第１筐体および第２筐体の取り付け角度を調節可能な角度調節部を備える
ことを特徴とする請求項１又は２に記載のプローブ。
【請求項４】
前記検出部は、前記引込み線に電流を印加する電流印加部と、前記引込み線に流れる電流を検出する電流検出部と、前記引込み線にかかる電圧を検出する電圧検出部とを有し、
前記電流印加部と前記電流検出部とは所定の間隔離れており、前記電流印加部と前記電流検出部との間に電磁波遮蔽シートを備える
ことを特徴とする請求項１乃至３のいずれかに記載のプローブ。
【発明の詳細な説明】
【技術分野】
【０００１】
本発明は、引込み線の現用・非現用を判定する技術に関する。
【背景技術】
【０００２】
光ファイバーの普及に伴い、住宅等の施設には、使用されなくなったメタルの引込み線が撤去されずに残されている場合がある。未使用の引込み線を残したままにしておくと、引込み線の垂れ下がりによる事故が発生するという問題がある。例えば、道路の上空をまたがって配置されている引込み線が垂れ下がると、車両や歩行者の通行の妨げとなり、非常に危険である。
【０００３】
引込み線を撤去する場合、作業者は対象の引込み線が使用されているか否か（現用・非現用）を確認する必要がある。従来、引込み線の現用・非現用の判定は、その引込み先の施設にいる作業者が対象の引込み線に電圧または電流を印加し、引込み線に生じた電圧または電流の値を通信センタにいる作業者が遠隔地から測定することにより行われていた。
【先行技術文献】
【特許文献】
【０００４】
【特許文献１】特開２００６−２４２８５５号公報
【発明の概要】
【発明が解決しようとする課題】
【０００５】
引込み線の現用・非現用を確認する際、作業者は引込み先を訪問するが、引込み先が留守である場合は引込み線の使用状況が確認できないという問題があった。
【０００６】
また、引込み線の現用・非現用の判定には、引込み先と通信センタのそれぞれに作業者を必要としていた。そのため、引込み線の現用・非現用の判定に際して、作業者間の時間調整等が必要となり、負担が大きいという問題があった。
【０００７】
引込み線の電気諸量を検出するための検出装置を引込み線に非接触で取り付けて、現場で引込み線の現用・非現用を判定する方法が考えられている。
【０００８】
しかしながら、引込み線は、電柱から利用者宅に架け渡されている通信線であり、高所に存在しているため、高所での作業が必要であった。高所での作業を不要とし、検出装置を引込み線に容易に取り付けることが望まれている。
【０００９】
本発明は、上記に鑑みてなされたものであり、引込み線の使用状況を効率良く判定することを目的とする。
【課題を解決するための手段】
【００１０】
本発明に係るプローブは、引込み線の電気諸量を検出するためのプローブであって、操作棒と、前記操作棒の先端に取り付けられ、前記引込み線を挟み込んで前記電気諸量を検出する検出部を収納し、先端方向に開口するように軸を中心として開閉可能に組み合わされた第１筐体および第２筐体と、前記第１筐体および第２筐体を閉じる方向に付勢する弾性部材と、引っ張ることで前記弾性部材の付勢方向と逆方向に力を加えるワイヤと、を備えることを特徴とする。
【００１１】
上記プローブにおいて、前記第１筐体および第２筐体の両端面の上部に前記引込み線を選り分けるための選分部を備えることを特徴とする。
【００１２】
上記プローブにおいて、前記操作棒に対する前記第１筐体および第２筐体の取り付け角度を調節可能な角度調節部を備えることを特徴とする。
【００１３】
上記プローブにおいて、前記検出部は、前記引込み線に電流を印加する電流印加部と、前記引込み線に流れる電流を検出する電流検出部と、前記引込み線にかかる電圧を検出する電圧検出部とを有し、前記電流印加部と前記電流検出部とは所定の間隔離れており、前記電流印加部と前記電流検出部との間に電磁波遮蔽シートを備えることを特徴とする。
【発明の効果】
【００１４】
本発明によれば、引込み線の使用状況を効率良く判定することができる。
【図面の簡単な説明】
【００１５】
【図１】本実施形態のプローブを備えた判定装置の構成を示す外観図である。
【図２】本実施形態のプローブの構成を示す斜視図である。
【図３】本実施形態の判定装置が使用される環境の具体例を示す図である。
【図４】現用・非現用の引込み線において検出される電気諸量の特徴を説明するための図である。
【発明を実施するための形態】
【００１６】
以下、本発明の実施の形態について図面を用いて説明する。
【００１７】
図１は、本実施形態におけるプローブを備えた判定装置１の構成を示す外観図である。
【００１８】
図１に示す判定装置１は、プローブ１０、操作棒２０、および操作端末３０を備える。判定装置１は、プローブ１０で判定対象の引込み線を挟み込んで引込み線の電気諸量を検出し、検出した電気諸量に基づいて引込み線が現用線であるか非現用線であるかを判定する装置である。
【００１９】
プローブ１０は、引込み線をクランプするためにバネにより開閉する構造である。作業者がプローブ１０に取り付けられた操作ワイヤ１８を下方向に引っ張ることで、プローブ１０の上面が開き、操作ワイヤ１８を緩めるとバネの力でプローブ１０が閉じる。
【００２０】
プローブ１０は、電流印加部、電流検出部、および電圧検出部を含む検出部を収納する。電流印加部は引込み線にコモンモード電流を印加し、電流検出部は引込み線に流れる電流を検出し、電圧検出部は引込み線にかかる電圧を検出する。プローブ１０の詳細については後述する。
【００２１】
作業者が地上から高所の引込み線にプローブ１０をクランプさせるため、プローブ１０は長尺の操作棒２０の先端に取り付けられる。
【００２２】
操作棒２０は、持ち運びや取り扱いの観点から、伸縮可能であることが望ましい。操作棒２０は、６ｍ程度まで伸ばせるとよい。
【００２３】
操作棒２０は、操作ワイヤ１８を通すためのワイヤガイド２１を備えてもよい。操作ワイヤ１８をワイヤガイド２１に通すことにより、操作ワイヤ１８をプローブ１０の真下方向に引っ張れるので、プローブ１０をスムースに開閉できる。
【００２４】
プローブ１０で引込み線をクランプする際、作業者は、操作棒２０を引込み線の高さにまで伸ばし、プローブ１０を引込み線の下方に近づける。操作棒２０を伸ばす際は、操作棒２０の底部を地面に置き、垂直に立てた状態で操作棒２０を伸ばす。作業者は、操作ワイヤ１８を引っ張ってプローブ１０の上面を開き、引込み線の下方からプローブ１０の開口部分に引込み線を入れ、操作ワイヤ１８を緩めて、引込み線をプローブ１０でクランプする。操作ワイヤ１８を緩めた状態でプローブ１０が閉じるので、引込み線をクランプした後は、操作ワイヤ１８を引っ張っておく必要がなく、片手で操作棒２０を支えながら、もう一方の手で操作端末３０を操作できる。
【００２５】
操作棒２０は、操作端末３０を固定するためのホルダ２２を備えてもよい。また、操作棒２０の最下部に、操作棒２０を地面に立たせるための脚２３を備えてもよい。
【００２６】
操作端末３０は、判定処理を行う本体装置である。引込み線をプローブ１０でクランプした後、操作端末３０を操作し、判定処理を開始する。操作端末３０は、プローブ１０の検出部に信号ケーブル３１で接続される。操作端末３０は、引込み線に印加する信号の送出およびプローブ１０で検出した電流および電圧の測定を行うアナログ回路、検出した電流および電圧に基づいて引込み線の現用・非現用を判定するコンピュータ、および電力を供給するための電池電源を備える。操作端末３０は、判定処理の開始を指示するための操作パネル、および判定結果を表示するための表示ランプを備える。操作パネルとして、例えば、電源ボタンおよび判定処理を開始するためのスタートボタンを備えてもよい。表示ランプとして、例えば、判別結果を示す判定結果ランプ、判別中であることを示す判定中ランプ、およびプローブ１０のクランプ不良を示すクランプ不良ランプを備えてもよい。
【００２７】
引込み線をクランプ後、判定処理を開始するとき、作業者は操作端末３０のスタートボタンを操作する。判定装置１の判定処理中は、判定中ランプが点灯する。判定処理が完了すると、判定中ランプが消灯し、判定結果に応じて現用または非現用を示す判定結果ランプが点灯する。
【００２８】
引込み線をクランプ後、判定処理の前に、プローブ１０に電流を流してクランプ状態をチェックしてもよい。プローブ１０が完全に閉じていない場合は送出電流が正常に流れないので、送出電流が正常に流れていないことを検出した場合、操作端末３０はクランプ不良ランプを点灯させる。
【００２９】
プローブ１０と操作棒２０とを着脱可能とし、操作棒２０に引込み線の撤去作業に用いる治具を取り付け可能としてもよい。これにより、判定装置１による判定作業と引込み線の撤去作業を１本の操作棒２０で行うことができる。
【００３０】
次に、本実施形態のプローブ１０について説明する。
【００３１】
図２は、本実施形態のプローブ１０の構成を示す斜視図である。図２は、プローブ１０が開いた状態である。
【００３２】
プローブ１０は、筐体１４，１６を軸１５Ａを中心として回転可能に組み合わせ、筐体１４，１６内に、電流印加部１１、電圧検出部１２、および電流検出部１３（以下、「検出部」と称する）を収納する。具体的には、筐体１４，１６の両端面（引込み線を通す面）を４つの軸１５Ａ〜１５Ｄで部材を連結したマジックハンド構造とし、筐体１４，１６の両端面の間に検出部を収納する。筐体１４，１６は、マジックハンド構造が縮んだときに閉じ、伸びたときに開く構造とする。つまり、上下に並んだ軸１５Ａと軸１５Ｄとが近づいた状態で筐体１４，１６が閉じ、軸１５Ａと軸１５Ｄとが離れた状態で筐体１４，１６が開く構造とする。
【００３３】
電流印加部１１、電圧検出部１２、および電流検出部１３は、それぞれが筐体１４側と筐体１６側とに２分割されて収納される。筐体１４，１６の動きに合わせて、２分割された電流印加部１１、電圧検出部１２、および電流検出部１３は一体となって動く。つまり、筐体１４，１６が開くと検出部も開き、筐体１４，１６が閉じると検出部も閉じる。
【００３４】
軸１５Ａと軸１５Ｄとをバネ１７で連結する。バネ１７が縮む力により、軸１５Ａと軸１５Ｄとが引き寄せられて筐体１４，１６が閉じた状態となる。バネ１７は、プローブ１０の両端面近くの２箇所に取り付ける。
【００３５】
軸１５Ｄに、操作ワイヤ１８を取り付ける。操作ワイヤ１８を下方向（バネ１７を伸ばす方向）に引くと、軸１５Ａと軸１５Ｄとの間隔が開き、筐体１４，１６が開いた状態となる。操作ワイヤ１８は、軸１５Ｄのバネ１７の近くの２箇所に取り付けるとよい。
【００３６】
筐体１４，１６の幅（引込み線を取り付ける方向）は、電流印加部１１と電流検出部１３とが電磁誘導など相互干渉しないように配置できる幅広の大きさとする。例えば、電流印加部１１と電流検出部１３の間隔が１５ｃｍ程度となる大きさとする。電流印加部１１を一方の端面（引込み線を通す端面）に寄せて配置し、電流検出部１３を他方の端面に寄せて配置する。
【００３７】
プローブ１０を引込み線にクランプする際、電流印加部１１側を引込み先に向け、電流検出部１３側を通信センタビル側に向ける。プローブ１０をクランプする方向が明確となるように、電流印加部１１側の端面を白色、電流検出部１３側の端面を青色にするとよい。
【００３８】
電流印加部１１は、コイルを巻いた分割コアで構成できる。巻かれたコイルに交流電流を流すことにより、電磁結合作用で電流印加部１１に挟み込まれた引込み線に非接触で試験用の電流を流すことができる。
【００３９】
電流検出部１３は、電流印加部１１とは別に設けた分割コアである。引込み線に流れる交流のコモンモード電流を分割コアに電磁結合させて非接触で電流を検出する。
【００４０】
電圧検出部１２は、電流印加部１１と電流検出部１３との間に配置する。電圧検出部１２は、引込み線の外皮を２つの導電性スポンジで挟み込んで密着接触させる構成であり、引込み線の内部導体に発生する電圧を導電性スポンジに静電結合させて電圧を検出する。
【００４１】
電流印加部１１および電流検出部１３を構成する分割コアと、電圧検出部１２を構成する２つの導電性スポンジは、筐体１４，１６の開閉に同期し、一体となって開閉して引込み線を挟み込む。
【００４２】
電流印加部１１と電流検出部１３との間に、電磁誘導対策として、高透磁率磁性シートまたは銅シートなどの電磁波を遮蔽する部材を備えてもよい。例えば、電流印加部１１の電流検出部１３側の側面に、電流印加部１１の側面と同程度の大きさの電磁波遮蔽シートを貼り付ける。これにより、電流印加部１１と電流検出部１３とを近接して配置しても、より確実に判定精度を確保することができる。
【００４３】
筐体１４，１６の両端面は、上部に開口面から外側に広がる凸部１４Ａ，１６Ａを備えるとよい。引込み線が複数存在する場合に、作業者は操作棒２０を操り、筐体１４，１６を開いた状態で凸部１４Ａ，１６Ａのいずれかを複数の引込み線の間に挿入し、判定対象の引込み線を選り分けて、判定対象の引込み線を挟み込む。あるいは筐体１４，１６を閉じた状態で、凸部１４Ａ，１６Ａを複数の引込み線の間に挿入した後、筐体１４，１６を開いて引込み線を選り分けてもよい。
【００４４】
筐体１４，１６の両端面は、筐体１４，１６が閉じた状態で引込み線を通す穴となる穴部１４Ｂ，１６Ｂを備える。
【００４５】
筐体１４，１６の下部の中央付近に、プローブ１０を操作棒２０に取り付けるための接続部１９を備える。具体的には、接続部１９は、軸１５Ａを固定して把持するとともに、軸１５Ｄを上下可動で把持する。
【００４６】
接続部１９の下部は、プローブ１０の取り付け角度を調節可能な角度調節部１９Ａを備える。引込み線は、高い電柱から利用者宅に架け渡されている通信線であり、地面に対して傾斜していることがある。角度調節部１９Ａによりプローブ１０の角度を引込み線の傾斜に合わせることで、作業者は、操作棒２０を地面に対して垂直に立てて作業することができる。
【００４７】
角度調節部１９Ａの先端を操作棒２０に挿入してプローブ１０を操作棒２０に取り付ける。プローブ１０を操作棒２０に取り付ける際、操作ワイヤ１８を操作棒２０のワイヤガイド２１に通す。また、プローブ１０と操作端末３０とを信号ケーブル３１で接続し、操作端末３０を操作棒２０のホルダ２２に載せる。
【００４８】
次に、判定装置１を使用する環境について説明する。
【００４９】
図３は、本判定装置１が使用される環境の具体例を示す図である。図３では、電流印加部１１を印加用プローブ、電圧検出部１２および電流検出部１３を検出用プローブとしてまとめて図示している。
【００５０】
通信センタビル９０１および被設置建造物９０２は、架空ケーブル９１１と引込み線９１２によって接続されている。架空ケーブル９１１および引込み線９１２は通信用のメタル線であって、例えば、電話線である。架空ケーブル９１１と引込み線９１２は、電柱９０３に取り付けられた接続端子かん９０４によって接続される。引込み線９１２は、Ｌ型金物９０５、分線金物９０６、Ｃ型金物９０７、及び配線クリート９０８によって固定され、接続端子かん９０４と保安器９０９を接続する。保安器９０９は、地気線９１３によって、接地棒９１０に接続されている。
【００５１】
通信センタビル９０１は、通信を管理する施設である。通信センタビル９０１内には、集線盤９１４および交換機９１５などの通信機器が設置される。集線盤９１４は、架空ケーブル９１１の各通信線（被設置建造物９０２のそれぞれに配置された引込み線９１２につながる）を集線する。集線盤９１４に集線された通信線のうち、現用の通信線は交換機９１５に接続され、非現用の通信線は開放された状態である。
【００５２】
被設置建造物９０２は、引込み線９１２の引込み先の施設であって、例えば、戸建住宅である。Ｌ型金物９０５および分線金物９０６は、引込み線９１２を電柱９０３に固定する金具である。Ｃ型金物９０７は、引込み線９１２を被設置建造物９０２に固定する金具である。配線クリート９０８は、被設置建造物９０２に引込み線９１２を固定する、陶器またはエボナイト製の器具である。保安器９０９は、地気線９１３を介して接地棒９１０に接続されることで、雷あるいはサージ電流等による過電圧・過電流から宅内の端末を保護する。
【００５３】
現用の引込み線９１２は、引込み先において電話機などの端末に接続される。非現用の引込み線９１２の先は、基本的には、端末が接続されないが、端末が接続されたままになっていることもある。
【００５４】
次に、判定装置１による引込み線の現用・非現用の判定方法について説明する。
【００５５】
判定装置１は、引込み線に信号を印加し、印加した信号と同じ周波数の引込み線に流れる電流と引込み線に係る電圧との比に基づいて引込み線９１２の使用状況を判定する。
【００５６】
引込み線９１２が現用の場合、引込み線９１２の先は、通信センタビル９０１内の交換機９１５等で終端されているので、引込み線９１２と大地との間でアースリターン電流が流れやすい。一方、引込み線９１２が非現用の場合、引込み線９１２の先は接続端子かん９０４または通信センタビル９０１内の集線盤９１４において開放端となっているので、アースリターン電流が流れにくい。
【００５７】
検出されるコモンモード電流およびコモンモード電圧を現用・非現用で比較すると、図４に示すように、現用の引込み線で検出されるコモンモード電流は非現用の引込み線で検出されるコモンモード電流よりも大きく、現用の引込み線で検出されるコモンモード電圧は非現用の引込み線で検出されるコモンモード電圧よりも小さい。したがって、検出されるコモンモード電圧に対するコモンモード電流の比は、現用の引込み線のほうが非現用の引込み線よりも大きくなる。
【００５８】
判定装置１は、引込み線９１２に信号を印加した状態で引込み線９１２に流れる電流と引込み線９１２にかかる電圧を測定し、電圧に対する電流の比を求め、求めた比を予め設定した閾値と比較して引込み線９１２の使用状況を判定する。比較した結果、求めた比が閾値よりも大きい場合は、引込み線９１２は現用であると判定する。
【００５９】
別の判定方法としては、引込み線９１２に信号を印加せずに、引込み線９１２の引込み先に接続されたデジタル通信機器が送出する信号を検知して引込み線９１２の現用・非現用を判定してもよい。引込み線９１２に信号を印加する判定方法と組み合わせてもよい。
【００６０】
以上説明したように、本実施の形態によれば、引込み線の電気諸量を検出するためのプローブ１０が、操作棒２０の先端に取り付けられ、引込み線の下方向から引込み線を挟み込んで電気諸量を検出する検出部を収納し、上方向に開口するように軸１５Ａを中心として開口可能に組み合わされた筐体１４，１６と、筐体１４，１６を閉じる方向に付勢するバネ１７と、下方向に引っ張ることでバネ１７の付勢方向と逆方向に力を加えることができる操作ワイヤ１８とを備えることにより、作業者は、操作ワイヤ１８を引っ張ってプローブ１０の上面を開いて引込み線を挟み込み、操作ワイヤ１８を緩めるだけで、引込み線の電気諸量を測定するための検出部を取り付けることができる。その結果、効率的に引込み線の現用・非現用を判定でき、引込み線の撤去作業の迅速化が期待できる。
【符号の説明】
【００６１】
１…判定装置
１０…プローブ
１１…電流印加部
１２…電圧検出部
１３…電流検出部
１４，１６…筐体
１４Ａ，１６Ａ…凸部
１４Ｂ，１６Ｂ…穴部
１５Ａ〜１５Ｄ…軸
１７…バネ
１８…操作ワイヤ
１９…接続部
１９Ａ…角度調節部
２０…操作棒
２１…ワイヤガイド
２２…ホルダ
２３…脚
３０…操作端末
３１…信号ケーブル
【図１】
2020112444.tif 000003
【図２】
2020112444.tif 000004
【図３】
2020112444.tif 000005
【図４】
2020112444.tif 000006
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
引込み線の電気諸量を検出するためのプローブであって、
操作棒と、
前記操作棒の先端に取り付けられ、前記引込み線を挟み込んで前記電気諸量を検出する検出部を収納し、先端方向に開口するように軸を中心として開閉可能に組み合わされた第１筐体および第２筐体と、
前記第１筐体および第２筐体を閉じる方向に付勢する弾性部材と、
引っ張ることで前記弾性部材の付勢方向と逆方向に力を加えるワイヤと、を備え、
前記検出部は、前記引込み線に電流を印加する電流印加部と、前記引込み線に流れる電流を検出する電流検出部と、前記引込み線にかかる電圧を検出する電圧検出部とを有する
ことを特徴とするプローブ。
【請求項２】
前記第１筐体および第２筐体の両端面の上部に前記引込み線を選り分けるための選分部を備える
ことを特徴とする請求項１に記載のプローブ。
【請求項３】
前記操作棒に対する前記第１筐体および第２筐体の取り付け角度を調節可能な角度調節部を備える
ことを特徴とする請求項１又は２に記載のプローブ。
【請求項４】
前電流印加部と前記電流検出部とは所定の間隔離れており、前記電流印加部と前記電流検出部との間に電磁波遮蔽シートを備える
ことを特徴とする請求項１乃至３のいずれかに記載のプローブ。
【請求項５】
引込み線の電気諸量を検出するためのプローブであって、
操作棒と、
前記操作棒の先端に固定された第１軸と、
前記操作棒の先端に取り付けられ、前記引込み線を挟み込んで前記電気諸量を検出する検出部を収納し、先端方向に開口するように前記第１軸を中心として開閉可能に組み合わされた第１筐体および第２筐体と、
前記第１軸に近づく方向および離れる方向に可動で、前記第１筐体および第２筐体を開閉する第２軸と、
前記第１軸と前記第２軸とを少なくとも２箇所で連結し、前記第１筐体および第２筐体を閉じる方向に付勢する複数の弾性部材と、
前記第２軸の前記弾性部材の近くに取り付けられ、引っ張ることで前記弾性部材の付勢方向と逆方向に力を加えるワイヤと、を備える
ことを特徴とするプローブ。
【手続補正２】
【補正対象書類名】明細書
【補正対象項目名】００１０
【補正方法】変更
【補正の内容】
【００１０】
本発明に係るプローブは、引込み線の電気諸量を検出するためのプローブであって、操作棒と、前記操作棒の先端に取り付けられ、前記引込み線を挟み込んで前記電気諸量を検出する検出部を収納し、先端方向に開口するように軸を中心として開閉可能に組み合わされた第１筐体および第２筐体と、前記第１筐体および第２筐体を閉じる方向に付勢する弾性部材と、引っ張ることで前記弾性部材の付勢方向と逆方向に力を加えるワイヤと、を備え、前記検出部は、前記引込み線に電流を印加する電流印加部と、前記引込み線に流れる電流を検出する電流検出部と、前記引込み線にかかる電圧を検出する電圧検出部とを有することを特徴とする。上記プローブにおいて、電流印加部と前記電流検出部とは所定の間隔離れており、前記電流印加部と前記電流検出部との間に電磁波遮蔽シートを備えることを特徴とする。
【手続補正３】
【補正対象書類名】明細書
【補正対象項目名】００１３
【補正方法】変更
【補正の内容】
【００１３】
本発明に係るプローブは、引込み線の電気諸量を検出するためのプローブであって、操作棒と、前記操作棒の先端に固定された第１軸と、前記操作棒の先端に取り付けられ、前記引込み線を挟み込んで前記電気諸量を検出する検出部を収納し、先端方向に開口するように前記第１軸を中心として開閉可能に組み合わされた第１筐体および第２筐体と、前記第１軸に近づく方向および離れる方向に可動で、前記第１筐体および第２筐体を開閉する第２軸と、前記第１軸と前記第２軸とを少なくとも２箇所で連結し、前記第１筐体および第２筐体を閉じる方向に付勢する複数の弾性部材と、前記第２軸の前記弾性部材の近くに取り付けられ、引っ張ることで前記弾性部材の付勢方向と逆方向に力を加えるワイヤと、を備えることを特徴とする。